(57)【要約】【課題】  家庭で混合飲料を手作りすることができる飲料混合容器を提供することを目的とする。【解決手段】  本実施形例のシェーカー１は、容器３０と蓋体５とで構成され、容器３０に蓋体５が嵌まるよう構成されている。容器３０は、飲料を収めるボディ３２と、ボディ３２の壁面における開口近傍の位置に、ボディ３２の壁面から外側に突出して配置された注ぎ口３４とを含み構成されている。また、シェーカー１は、蓋体５のスカート部２４に設けられ、第１のカバー部２２ａをボディ開口３６に被せた状態で、ボディ３２と蓋体５とを係合する切欠き２６をさらに含み構成されている。【選択図】図１
2017153594.tif 000002
【特許請求の範囲】
【請求項１】
容器と蓋体とで構成された飲料混合容器であって、
前記容器は、
飲料を収める容器本体と、
前記容器本体の壁面における開口近傍の位置に、該容器本体の壁面から外側に突出して配置された注ぎ口と
を有し、
前記蓋体は、
前記容器本体の開口を覆う第１の部分と、
前記注ぎ口の開口を覆う第２の部分と
を有し、
前記蓋体は、前記第１の部分と前記第２の部分とが一体的に構成され、
前記蓋体は、前記容器と嵌まるよう構成されている
飲料混合容器。
【請求項２】
前記容器、及び、前記蓋体の少なくとも一方に設けられ、前記第１の部分を前記容器本体の開口に被せた状態で、該容器本体と該蓋体とを係合する係合部
をさらに有する
請求項１に記載の飲料混合容器。
【請求項３】
前記注ぎ口の断面形状は、Ｕ字形状、又は、Ｖ字形状に形成されている
請求項２に記載の飲料混合容器。
【請求項４】
前記注ぎ口の断面形状における該注ぎ口の開口の縁は、該注ぎ口の内側に傾斜し、
前記蓋体は、前記容器に嵌めたときに、前記注ぎ口の開口、及び、該注ぎ口の外壁面の一部を覆うよう構成されている
請求項３に記載の飲料混合容器。
【発明の詳細な説明】
【技術分野】
【０００１】
本発明は、飲料混合容器に関する。
【背景技術】
【０００２】
例えば、特許文献１には、カクテルを造るのに必要な基酒と副材料を予めレシピに従って計量し、個別の容器に収納したカクテルの材料セットを、組み立てるとミキシング用具として使用できる収納容器（缶）に詰めたことを特徴とするカクテル材料の缶詰が開示されている。
【０００３】
また、特許文献２には、分解可能なカクテルグラスの上部部分が、シエイカーの蓋に代用出来るグラスで有る事を特徴とするカクテル容器が開示されている。
【０００４】
また、特許文献３には、複数のシェーカ単位体の側面部を相互に直接或いは接続部材によって接続し、前記シェーカ単位体をシェーカ本体とその蓋体とにより形成し、シェーカ本体の側面部の上方位置に流出口を設けてなるシェーカが開示されている。
【先行技術文献】
【特許文献】
【０００５】
【特許文献１】特開２００２−２６２８５２号公報
【特許文献２】特開平９−４００３６号公報
【特許文献３】実開平５−２６０３３号公報
【発明の概要】
【発明が解決しようとする課題】
【０００６】
本発明は、家庭で混合飲料を手作りすることができる飲料混合容器を提供することを目的とする。
【課題を解決するための手段】
【０００７】
本発明に係る飲料混合容器は、容器と蓋体とで構成された飲料混合容器であって、前記容器は、飲料を収める容器本体と、前記容器本体の壁面における開口近傍の位置に、該容器本体の壁面から外側に突出して配置された注ぎ口とを有し、前記蓋体は、前記容器本体の開口を覆う第１の部分と、前記注ぎ口の開口を覆う第２の部分とを有し、前記蓋体は、前記第１の部分と前記第２の部分とが一体的に構成され、前記蓋体は、前記容器と嵌まるよう構成されている。
【０００８】
好適には、前記容器、及び、前記蓋体の少なくとも一方に設けられ、前記第１の部分を前記容器本体の開口に被せた状態で、該容器本体と該蓋体とを係合する係合部をさらに有する。
【０００９】
好適には、前記注ぎ口の断面形状は、Ｕ字形状、又は、Ｖ字形状に形成されている。
【００１０】
好適には、前記注ぎ口の断面形状における該注ぎ口の開口の縁は、該注ぎ口の内側に傾斜し、前記蓋体は、前記容器に嵌めたときに、前記注ぎ口の開口、及び、該注ぎ口の外壁面の一部を覆うよう構成されている。
【発明の効果】
【００１１】
本発明によれば、家庭で混合飲料を手作りすることができる。
【図面の簡単な説明】
【００１２】
【図１】本実施例におけるシェーカー１の構成を説明する斜視図である。
【図２】図１におけるシェーカー１の断面を例示する断面図である。
【図３】蓋体５と容器３０との嵌め込みを説明する図である。
【図４】シェーク技法にて、シェーカー１を使用する使用状態を例示する図である。
【図５】ステア技法にて、シェーカー１を使用する使用状態を例示する図である。
【発明を実施するための形態】
【００１３】
以下、本発明に係る実施形態の構成を、図面を参照して説明する。ただし、本発明の範囲は、図示例に限定されるものではない。
［構成］
まず、図１及び図２を用いて、本実施例におけるシェーカー１の構成を説明する。
図１は、本実施例におけるシェーカー１の構成を説明する斜視図である。
図２は、図１におけるシェーカー１の断面を例示する断面図である。図２（Ａ）は、シェーカー１の組立断面図であり、図２（Ｂ）は、図２（Ａ）におけるシェーカー１のＡ−Ａ断面図である。
【００１４】
図１に例示するように、シェーカー１は、蓋体５と容器３０とを含み構成されている。シェーカー１は、容器３０に蓋体５を嵌め込むことで、蓋体５で容器３０の開口を塞ぐことができる。
また、シェーカー１は、合成樹脂部材、または、金属部材で構成されている。シェーカー１は、合成樹脂部材で構成される場合、例えば、ポリカーボネート樹脂、ポリスチレン樹脂、または、ポリプロピレン樹脂等で構成される。また、シェーカー１は、金属部材で構成される場合、例えば、ステンレス鋼、チタン、または、アルミニウム合金等で構成される。
なお、本実施例のシェーカー１は、例えば、カクテルやノンアルコールカクテルを作成する器具である。シェーカー１は、２種以上の混ぜにくい飲料を混合するため、又は、飲料（とくに冷やしにくい飲料）を急速に冷却するために使用する器具である。そのため、シェーカー１は、飲料を急速に冷却する観点から金属部材で構成されることが望ましい。
なお、シェーカー１は、本発明に係る飲料混合容器の一例である。
【００１５】
［蓋体５］
図１及び図２（Ａ）に例示するように、蓋体５は、容器３０に着脱自在に嵌め込むことで、容器３０の開口を塞ぐことができる蓋である。蓋体５は、複数の部材で構成されてもよいし、１つの部材で構成されてもよい。なお、本実施例の蓋体５は、複数の部材で構成されており、具体的にはトップ１０とストレーナー２０とを含み構成されている。なお、蓋体５は、本発明に係る蓋体の一例である。
【００１６】
（トップ１０）
図１及び図２（Ａ）に例示するように、トップ１０は、ストレーナー２０の注ぎ口を着脱自在に塞ぐキャップである。トップ１０は、トレーナ―２０の注ぎ口に被せることにより、シェーク技法におけるシェーカー１の内部にある混合飲料１００の飛び出しを防止する。
【００１７】
（ストレーナー２０）
図１及び図２（Ａ）に例示するように、ストレーナー２０は、内部に網材を備えた濾し器である。ストレーナー２０は、壁面の形状が略円錐台形状のカバー部２２と、カバー部２２の一方の端部に設けられた注ぎ口と、カバー部２２の他方の端部に設けられたスカート部２４とを備えている。ストレーナー２０は、カバー部２２、注ぎ口、及び、スカート部２４が一体的に形成されている。
また、ストレーナー２０は、スカート部２４の開口の大きさが容器３０の開口（ボディ開口３６及び注ぎ口開口３８）の大きさより大きく形成されている。これにより、ストレーナー２０は、容器３０の開口を覆い塞ぐことができる。
【００１８】
カバー部２２は、第１のカバー部２２ａと、第２のカバー部２２ｂとを備えている。
第１のカバー部２２ａは、ボディ開口３６を覆う蓋部分である。第１のカバー部２２ａの壁面の形状は、円錐台形状に形成されている。
また、第１のカバー部２２ａの大きさは、スカート部２４を備える端部において、ボディ開口３６よりわずかに大きく形成されている。これにより、第１のカバー部２２ａは、ボディ開口３６を覆って塞ぐことができる。
なお、第１のカバー部２２ａは、本発明に係る第１の部分の一例である。
【００１９】
また、第１のカバー部２２ａの壁面には、壁面の一部から突出して形成された第２のカバー部２２ｂが設けられている。第２のカバー部２２ｂは、容器３０に設けられた注ぎ口の開口（注ぎ口開口３８）を覆う蓋部分である。第２のカバー部２２ｂは、第１のカバー部２２ａと一体的に形成されている。具体的には、第２のカバー部２２ｂの外壁面は、第１のカバー部２２ａの外壁面と滑らかに連続して形成されている。また、第２のカバー部２２ｂの内壁面は、第１のカバー部２２ａの内壁面と滑らかに連続して形成されている。
また、第２のカバー部２２ｂの大きさは、スカート部２４を備える端部において、注ぎ口開口３８よりわずかに大きく形成されている。これにより、第２のカバー部２２ｂは、注ぎ口開口３８を覆って塞ぐことができる。
このように、カバー部２２は、ストレーナー２０を容器３０に嵌める場合に、第１のカバー部２２ａと第２のカバー部２２ｂとにより、ボディ開口３６と注ぎ口開口３８とを覆って塞ぐことができる。
なお、第２のカバー部２２ｂは、本発明に係る第２の部分の一例である。
【００２０】
スカート部２４は、カバー部２２における注ぎ口を設けられた方とは反対側に設けられている。スカート部２４は、カバー部２２から連続して形成された裾部分であり、ストレーナー２０とボディ３２とを組み合わせた場合に外れ防止として機能する。
また、スカート部２４は、スカート部２４設けられた切欠き２６の両側において、スカート部２４の長さが異なるよう形成されている。具体的には、第２のカバー部２２ｂにおけるスカート部２４の一部の長さＫ２は、第１のカバー部２２ａにおけるスカート部２４の長さＫ１に比べて、長く形成されている。
これにより、蓋体５は、スカート部２４と切欠き２６とにより効率的にボディ３２の縁に掛けることができる。
【００２１】
切欠き２６は、ボディ３２の縁を板厚方向に挟み込む形状に形成された窪みである。切欠き２６は、スカート部２４に設けられ、切欠き２６の両端の切込長さが異なるよう形成されている。本実施例の切欠き２６は、第１のカバー部２２ａ側の切込長さより、第２のカバー部２２ｂ側の切込長さが長く形成されている。
切欠き２６は、蓋体５と容器３０との少なくとも一方に設けられ、第１のカバー部２２ａを容器３０の開口（ボディ開口３６）に被せた状態で、ボディ３２の縁にストレーナー２０を係合させる。本実施例の切欠き２６は、スカート部２４における第２のカバー部２２ｂの各両側にそれぞれ設けられている。
なお、切欠き２６は、本発明に係る係合部の一例である。
このように、蓋体５は、トップ１０とストレーナー２０とを含み構成されている。
【００２２】
［容器３０］
図１及び図２（Ａ）に例示するように、容器３０は、ボディ３２と、注ぎ口３４とを含み構成されている。
（ボディ３２）
ボディ３２は、注ぎ口３４、ボディ開口３６、及び、注ぎ口開口３８を備えている。ボディ３２は、飲料を収めるための器である。ボディ３２は、底面の大きさに比べてボディ開口３６の大きさの方が大きく形成され、底面からボディ開口３６の方向に緩やかな曲面形状に形成されている。
なお、ボディ３２は、本発明に係る容器本体の一例である。
【００２３】
図１及び図２（Ａ）に例示するように、注ぎ口３４は、ボディ３２の内部に収めた飲料を別容器に注ぐための口である。注ぎ口３４は、ボディ３２の壁面から外側に突出して設けられ、ボディ３２と一体的に形成されている。また、注ぎ口３４は、ボディ開口３６近傍の位置の壁面から突出して設けられ、本実施例の注ぎ口３４は、ボディ開口３６と注ぎ口３４の開口である注ぎ口開口３８とが略同じ位置となるよう設けられている。
【００２４】
また、図２（Ｂ）に例示するように、蓋体５と容器３０と嵌め合わせた場合において、注ぎ口３４は、注ぎ口開口３８を第２のカバー部２２ｂに塞がれ、注ぎ口３４の外壁面の一部をスカート部２４により覆われている。
注ぎ口３４の断面形状は、Ｕ字形状、又は、Ｖ字形状に形成されている。なお、本実施例の注ぎ口３４の断面形状は、Ｖ字形状に形成されている。注ぎ口３４は、Ｕ字形状、又は、Ｖ字形状の断面形状に形成することにより、混合飲料１００を注いだあとの液垂れを防止することが期待できる。また、スカート部２４は、注ぎ口３４の外形形状に沿うよう窄ませた形状に形成されている。これにより、注ぎ口３４は、スカート部２４と掛かり合うため、嵌合方向に容易に外れないよう構成することができる。
また、注ぎ口３４は、注ぎ口開口３８の縁である注ぎ口開口端部３９を備えている。注ぎ口開口端部３９は、注ぎ口３４の内側に傾斜している。具体的には、注ぎ口開口端部３９は、内壁面の形状が注ぎ口３４の内側に傾斜している。
これにより、注ぎ口開口端部３９は、密閉時において、注ぎ口３４の内側から外側に漏れようとする混合飲料１００を注ぎ口３４の内側に戻すよう機能する。
このように、容器３０は、ボディ３２と、注ぎ口３４とを含み構成されている。
【００２５】
次に、シェーカー１の組合せを説明する。
図３は、蓋体５と容器３０との嵌め込みを説明する図である。
図３（Ａ）に例示するように、まず、使用者は、蓋体５における第２のカバー部２２ｂを容器３０の注ぎ口３４に被せる。
【００２６】
図３（Ｂ）に例示するように、次に、使用者は、第２のカバー部２２を注ぎ口３４に被せた状態で、蓋体５における第１のカバー部２２ａを容器３０のボディ開口３６に近づける。
【００２７】
図３（Ｃ）に例示するように、次に、使用者は、蓋体５における第１のカバー部２２ａを容器３０のボディ開口３６に近づけて、蓋体５を容器３０に嵌め込む。
このように、使用者は、蓋体５と容器３０とを嵌合させることができる。なお、容器３０から蓋体５を取り外す場合は、逆の手順で行う。
【００２８】
図４は、シェーク技法にて、シェーカー１を使用する使用状態を例示する図である。
図４に例示するように、使用者は、容器３０の内部に飲料を収容し、蓋体５と容器３０とを組み合わせた状態でシェークする。シェーカー１は、蓋体５の第２のカバー部２２と容器３０の注ぎ口３４とがボディ３２の壁面から外側に突出しているため、使用者は、第２のカバー部２２と注ぎ口３４と指掛けとして使用することにより、効率的にシェーカー１を固定することができる。
また、シェーカー１は、スカート部２４の形状が注ぎ口３４の外形形状に沿うよう窄ませた形状に形成されている。これにより、シェーカー１は、シェーク時において、注ぎ口３４と第２のカバー部２２ｂのスカート部２４とが掛かり合うため、シェーカー１の扱いに不慣れな使用者であっても、嵌合方向に外れることなく使用することができる。
【００２９】
図５は、ステア技法にて、シェーカー１を使用する使用状態を例示する図である。
図５（Ａ）に例示するように、まず、使用者は、容器３０に複数種類の飲料や氷等を収容し、マドラーを用いてこれらを混合する。
【００３０】
図５（Ｂ）に例示するように、次に、使用者は、混合したあと、容器３０のボディ開口３６に蓋体５を配置する。具体的には、使用者は、蓋体５の切欠き２６をボディ開口３６の厚方向に挟み込ませ、ボディ開口３６に被せた状態で固定する。
第２のカバー部２２ｂにおけるスカート部２４の一部の長さＫ２は、第１のカバー部２２ａにおけるスカート部２４の長さＫ１に比べて、長く形成されている。これにより、蓋体５は、スカート部２４と切欠き２６とにより効率的にボディ３２の縁に掛けることができる。
【００３１】
図５（Ｃ）に例示するように、次に、使用者は、容器３０のボディ開口３６に蓋体５を被せた状態で、注ぎ口３４を介してグラスに混合飲料１００を注ぐ。このとき、シェーカー１は、容器３０のボディ開口３６に蓋体５を被せた状態でグラスに注ぐことにより、蓋体５を濾過器として機能させ、容器３０の内部にある氷等の固形体をグラス内に注ぎ込むことを防止することができる。
このように、シェーカー１は、シェーク技法だけでなく、ステア技法においても使用することができる。シェーカー１は、容器３０をミキシンググラスとして、蓋体５をミキシンググラス用ストレーナーとして代用することができる。また、シェーカー１は、金属部材で構成することにより、例えばガラス製のミキシンググラスに比べて熱が伝わり易い。そのため、シェーカー１は、ステア技法において混合飲料１００をより急速に冷却することが期待できる。
【００３２】
以上説明したように、本実施形例のシェーカー１は、容器３０と蓋体５とで構成され、容器３０に蓋体５が嵌まるよう構成されている。容器３０は、飲料を収めるボディ３２と、ボディ３２の壁面における開口近傍の位置に、ボディ３２の壁面から外側に突出して配置された注ぎ口３４とを含み構成されている。また、蓋体５は、ボディ３２の開口を覆う第１のカバー部２２ａと、注ぎ口３４の開口を覆う第２のカバー部２２ｂとを含み構成され、第１のカバー部２２ａと２のカバー部２２ｂとが一体的に形成されている。これにより、使用者は、シェーカー１をシェーク技法とステア技法との両方で使用することができるため、シェーカーの他にミキシンググラスを買い揃える必要がない。よって、買い揃える費用を抑えることができる。
【００３３】
また、シェーカー１は、蓋体５のスカート部２４に設けられ、第１のカバー部２２ａをボディ開口３６に被せた状態で、ボディ３２と蓋体５とを係合する切欠き２６をさらに含み構成されている。これにより、使用者は、容器３０のボディ開口３６に蓋体５を被せた状態で固定でき、蓋体５を固定した状態で注ぎ口３４を介してグラスに混合飲料１００を注ぐことができる。よって、シェーカー１の蓋体５を濾過器として機能させることができる。よって、ミキシンググラス用ストレーナーを買い揃える必要がないため費用を抑えることができる。
【００３４】
また、シェーカー１は、注ぎ口３４の断面形状は、Ｕ字形状、又は、Ｖ字形状に形成されているため、混合飲料１００を注いだあとの液垂れを防止することが期待できる。
【００３５】
また、シェーカー１は、注ぎ口３４の断面形状における注ぎ口開口端部３９の形状が注ぎ口３４の内側に傾斜することにより、注ぎ口開口端部３９は、密閉時において、注ぎ口３４の内側から外側に漏れようとする混合飲料１００を注ぎ口３４の内側に戻すよう機能するため漏れ防止となる。
さらに、シェーカー１は、蓋体５は、容器３０に嵌めたときに、第２のカバー部２２ｂが注ぎ口開口３８を塞ぎ、及び、スカート部２４が注ぎ口３４の壁面における外側の一部を覆うよう構成されている。これにより、シェーカー１の使用に不慣れな使用者であっても、スカート部２４が注ぎ口３４に掛かり合うため、嵌合方向に容易に外れない。よって、シェーカー１の使用に不慣れな使用者であっても、シェーカー１から混合飲料１００が漏れることなく使用することができる。
【００３６】
以上、本発明に係る実施形態について説明したが、これらに限定されるものではなく、発明の趣旨を逸脱しない範囲内において、種々の変更、追加等が可能である。
【符号の説明】
【００３７】
１      シェーカー
５      蓋体
１０    トップ
２０    ストレーナー
２２    カバー部
２４    スカート部
２６    切欠き
３０    容器
３２    ボディ
３４    注ぎ口
３６    ボディ開口
３８    注ぎ口開口
【図１】
2017153594.tif 000003
【図２】
2017153594.tif 000004
【図３】
2017153594.tif 000005
【図４】
2017153594.tif 000006
【図５】
2017153594.tif 000007